Podtech/llm-jp-corpus-v4-ja_patent huggingface dataset:
【手続補正書】
【提出日】平成18年8月30日(2006.8.30)
【手続補正１】
【補正対象書類名】明細書
【補正対象項目名】０２４０
【補正方法】変更
【補正の内容】
【０２４０】
（図１）図1Aおよび1Bは、エレクト-オプティカル気相インテロゲーション装置(EVID)の携帯用の構成の一例を示す。図1Aは、EVIDセンサーチャンバー、気流通路(30)(太い矢印)、信号通路(実線の矢印)、およびコンピュータ制御ライン(破線の矢印)(8)の略図を示す。匂いのある空気とクリーンな空気とをスイッチングする3通路弁は、1対のサーボ制御弁(10)として使用される。図1Aおよび1Bにおいて、以下のパーツを示す：光発光ダイオード光源(12)および励起フィルタ(28)のパネル；フォトダイオード検出器(26)および発光フィルタ(14)のパネル；スニフポンプ(4)；制御およびフィードバック制御(2方向の2重の矢印)(16)；コンピュータ(18)；16チャネル積算増幅器および20ビットA/D/コンバータ(20)；供給源(24)からのクリーンな空気の吸気通路(22)。図1Bは、LED(12)；発光フィルタ(14)励起フィルタ(28)；およびフォトダイオード(26)を備える同じシステムの平面図の概略である。
（図２）図2Aおよび2Bは、YO-PROおよびpBluescriptSK DNAから製造されたセンサーの時間的な応答を示す。図2Aは、YO-PROから製造し、次いで70%エタノールで5分間洗浄したセンサーを示す。図2Bは、YO-PROおよび5ngのトータルpBlueScriptSK DNAから製造したセンサーを示す。飽和蒸気の分画としての分析物の希釈は以下のとおり：水、10-1；メタノール(MeOH)、10-1；トリエチルアミン、10-2；およびプロピオン酸、10-1。各トレースは、10回の平均値を示す；エラーバーは+/-1 S.D.を示す。DNAに基づいた分析物センサーを用いる実験については、各種類のセンサーについて同様の方法を使用した。簡単に説明すると、DNAの溶液をTE(1 Tris、0.5 mM EDTA)で望ましい濃度(0.2〜40 ng/μl)に希釈した。希釈したDNA 20μlを1μLの染料の濃縮ストック液と混合し、室温において5分間インキュベーションした。染料のみの対照は、染料のストック液1μlを20μlのTEに加えて作製した。センサーは、酸洗浄した16xxシルクスクリーン(10 mm×12 mm)の基板に作製した。DNA／染料混合物をピペットで基板にたらし、25分間乾燥させた。各センサーを70%エタノールで5分間洗浄して乾燥させ、次いでEVIDで試験するためのガラスカバースリップ上の基板に取り付けた(図2B)。
（図３）図3Aおよび3Bは、異なる短い配列の1本鎖DNAおよびOliGreen染料から製造したセンサーの時間的応答を示す。図3Aは、配列
2006507507.tif 000001
を有するオリゴマーDS003を示す。図3Bは、配列
2006507507.tif 000002
を有するオリゴマーAJ001を示す。センサー構成の詳細および分析物の希釈は図2を参照されたい。各トレースは10回の平均を示す；エラーバーは+/- 1 S.D.を示す。
（図４）図4Aおよび4Bは、合成中に蛍光染料Cy3(tm)で標識した2つのオリゴヌクレオチドの分析物濃縮の応答を示す(Glen Research製のCy3(tm)ホスホラミダイトを使用)。図4Aは、配列
2006507507.tif 000003
であるLAPP1を示す。図4Bは、配列
2006507507.tif 000004
であるLAPP2を示す。オリゴマーは、225 ng/μlの濃度でTris-NaCl(10 mM Tris、50 mM NaCl、pH 8)中に保存し、次いで使用直前に蒸留水で50 ng/μlの濃度に希釈した。センサー構成の詳細は図2を参照されたい。信号の振幅は、以下に記載するようにセンサーの時間的な信号を指数関数に適応することによって得られるパラメーターである。センサーの信号およびデータ処理。各データ点は10回の平均である；エラーバーは+/- 1 S.D.を示す。
（図５）センサーライブラリー作製およびスクリーニングの段階の概略を示す。PCR鋳型a)またはプライマー伸長鋳型b)は、それぞれ、2つまたは1つのプライマーで増幅される。段階1：ランダム配列ライブラリーを合成する；段階2：ライブラリーを希釈する；段階3：試料を104個の96ウェルプレートに入れる；段階4：核酸を増幅し、標識する；段階5：ロボットスポッターを使用して高密度センサーライブラリーを作製する；段階6：気相状態の分析物を適用する前後にセンサーライブラリーをアレイスキャナーで画像化する。
（図６）1セットのセンサースポットの強力なプロピオン酸臭気応答の一例を示す。データは、ScanArray 4000マイクロアレイスキャナーを使用して収集した。左の画像は、クリーンな大気のセンサースポットのバックグラウンド蛍光を示す。中央の画像は、飽和蒸気プロピオン酸を試験チャンバーに注入した後の同じスポットの蛍光レベルを示す。右の画像は、左の画像を中央の画像から引いたときの蛍光の変化を示す。12×12のブロックのカバースリップ(垂直方向の12の反復と水平方向の12の異なる配列)にスポットのアレイを適用した；2つの反復ブロック(Rep1およびRep2)は3つの異なるイオン条件下で適用した：50 mM MgCl2、50 mM NaCl、および水。1つのセンサー配列TLAPP1の水溶液は蛍光の強力な増加を示し、他の配列はより小さい蛍光変化を示した。
（図７）図7Aおよび7Bは、気相状態の分析物に対する応答性について核酸を試験する場合に、センサーアレイに分析物を送達するための例示的なチャンバー(32)のダイアグラムを示す。図7Aはチャンバーの平面図を示し、図7Bはチャンバーの側面図を示す。黒一色(34)はステンレス鋼を示し、濃い目の灰色(36)は40ミクロンの孔サイズのスレンレス鋼フィルタを示す。臭気物質を注入するチューブは21ゲージのテフロンチューブであり、白色のチューブ(38)で示す。分析物はチューブに注入され、フィルタ(40)(濃い灰色のブロック)を通過して出てくる。チャンバーの内側(42)は、分析物がフィルタを通過した後に分析物に曝露されるカバースリップを有する(チャンバーのステンレス鋼壁の内側の白色の領域)。この図に示すチャンバーの径は、ScanArray 4000でガラス製のカバースリップを読むのに適している。
（図８）分析が離れた位置で実施される本発明のセンサーシステムのブロックダイアグラムを示し、チャンバーの内部に核酸アレイ(2)を有するセンサーチャンバー(1)を示す。
（図９）本発明のシステムの一態様のハードウェア要素を示すブロックダイアグラムである。
（図１０）センサーアレイモジュールの略図である。
（図１１）ランダム内部配列および固定端を有するオリゴマーの配列である。
（図１２）PCR反応プライマーおよび2本鎖産物を示す。星印は、下のプライマーの5'dTTPヌクレオチドのCy3(tm)標識を示す。
【手続補正２】
【補正対象書類名】明細書
【補正対象項目名】配列表
【補正方法】追加
【補正の内容】
【配列表】
2006507507000001.app
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
撮像システムであって、該システムは、
対象物振動面を照らす目的波面を作り出し、かつ前記振動面から反射される変調目的波面を所定方向へ指向する光学顕微鏡撮像手段と、
光屈折性材料中において基準波面と前記変調目的波面との干渉を起こし、及び前記振動面の全視野リアルタイム画像信号を生成する光屈折復調手段と、
を具備することを特徴とする撮像システム。
【請求項２】
撮像システムであって、該システムは、
顕微鏡対物レンズ視野内の振動対象物表面部分上へ目的波面を指向し、及び前記視野内表面部分から反射される変調目的波面を光屈折性材料中へ指向するようにそれぞれ配置された目的波面供給源及び光学顕微鏡対物レンズと、
基準波面を位相変調器中へ指向し、及び前記位相変調器からの変調基準波面を前記光屈折性材料中へ指向して前記変調目的波面との干渉を起こすようにそれぞれ配置された基準波面供給源及び少なくとも１台の位相変調器と、
前記変調目的波面と変調基準波面との干渉が前記光屈折性材料中で起こり、前記視野内表面部分の全視野リアルタイム画像信号が生成されるような組成を有し且つ位置にある光屈折性材料と、
を具備することを特徴とする撮像システム。
【請求項３】
請求項２に記載のシステムであって、該システムはさらに、前記位相変調器の駆動信号を変調する振幅変調器を少なくとも１台備える検量線作成機構を含み、前記変調基準波面の測波帯信号を２つ生成し、前記２つの測波帯信号が前記光屈折性材料中において干渉を起こして検量線作成出力信号を作り出すことを特徴とする撮像システム。
【請求項４】
撮像システムであって、該システムは、
目的波面を対物レンズを通して顕微鏡対物レンズ視野内の振動対象物表面部分上へ指向し、及び前記視野内表面部分から反射された変調目的波面を光屈折性材料中へ指向するようにそれぞれ配置された目的波面供給源及び光学顕微鏡対物レンズと、
基準波面を前記光屈折性材料中へ指向して前記変調目的波面との干渉を起こすように配置された基準波面供給源と、
前記変調目的波面と基準波面との干渉が前記光屈折性材料中で起こるように、前記視野内表面部分の全視野リアルタイム画像信号を生成するような組成を有し且つ位置にある前記光屈折性材料と、
前記振動面の単一点リアルタイム信号を代わりに生成するように、前記目的波面の通路から選択的に取り外すことができる切換レンズと、
を具備することを特長とする撮像システム。
【請求項５】
載置台上の対象物表面へ少なくとも約１ＧＨｚの音響周波数での振動動作を付与するために前記載置台と関連して配置される振動機構と、
目的波面を顕微鏡対物レンズを通して顕微鏡対物レンズ視野内の振動対象物表面部分上へ指向させ、及び前記視野内表面部分から反射された変調目的波面を光屈折性材料中へ指向させるようにそれぞれ配置された目的波面供給源及び光学顕微鏡対物レンズと、
前記変調目的波面との干渉を起こすために、基準波面を前記光屈折性材料中へ指向させるように配置された基準波面供給源と、
前記変調目的波面と変調基準波面との干渉が前記光屈折性材料中で起こるように、前記視野内表面部分の全視野リアルタイム画像信号を生成するような組成を有し且つ位置にある前記光屈折性材料と、
を具備することを特長とする撮像システム。
【請求項６】
撮像システムであって、該システムは、
目的ビームをビームエキスパンダ中へ指向させ、及び前記ビームエキスパンダからの拡大された目的ビームを顕微鏡対物レンズを通して顕微鏡対物レンズ視野内の振動対象物表面部分上へ指向させるようにそれぞれ配置された目的ビーム供給源、ビームエキスパンダ及び光学顕微鏡対物レンズと、
前記視野内表面部分から反射された変調目的ビームを撮像レンズ中へ指向させ、前記撮像レンズからの調節された変調目的ビームを第一１／２波長板中へ指向させ、及び前記第一波長板からの回転かつ調節された変調目的ビームを光屈折性材料中へ指向させるようにそれぞれ配置された撮像レンズ及び第一１／２波長板と、
基準ビームを位相変調器中へ指向させ、前記位相変調器からの変調基準ビームを第二１／２波長板中へ指向させ、及び前記第二１／２波長板からの回転された変調基準ビームを前記光屈折性材料中へ指向させ前記回転かつ調節された変調目的ビームとの干渉を起こすようにそれぞれ配置された基準ビーム供給源、少なくとも１台の位相変調器、及び第二１／２波長板と、
前記ビームの干渉が前記光屈折性材料中で起こるように、前記視野内表面部分の全視野リアルタイム画像信号を生成するような組成を有し且つ位置にある前記光屈折性材料と、
を具備することを特徴とする撮像システム。
【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
画像を表示するために使用される活動表示ピクセルと、
ピクセル劣化を決定するために使用される試験用ピクセルとを備え、
前記試験用ピクセルが情報の活動表示に影響を及ぼさず、さらに、前記試験用ピクセルからの監視された放出に基づいて、前記活動表示ピクセルと前記試験用ピクセルとの両方の供給電圧に調整が加えられるディスプレイ。
【請求項２】
前記試験用ピクセルが、活動表示領域の外に形成される、請求項１に記載のディスプレイ。
【請求項３】
前記試験用ピクセルからの電流放出が監視される、請求項１に記載のディスプレイ。
【請求項４】
前記試験用ピクセルからの照度放出が監視される、請求項１に記載のディスプレイ。
【請求項５】
前記活動表示ピクセルおよび前記試験用ピクセルへの供給電圧が、前記試験用ピクセルからの監視された電流放出に基づいて変更される、請求項１に記載のディスプレイ。
【請求項６】
前記活動表示ピクセルおよび前記試験用ピクセルへの供給電圧が、前記試験用ピクセルからの監視された照度放出に基づいて変更される、請求項１に記載のディスプレイ。
【請求項７】
前記試験用ピクセルおよび前記活動ピクセルが、複数の電界放出陰極によって形成され、請求項１に記載のディスプレイ。
【請求項８】
電圧ドライバを供給するステップと、
活動表示時間中に活動ピクセルで画像を表示するステップと、
非活動表示時間中に試験用ピクセルで放出を生じさせるステップと、
試験領域の放出が正確であるかどうかを決定するステップと、
所望のレベルを実現するように前記ピクセルを調整するステップと
を含む放出補償方法。
【請求項９】
前記電圧ドライバに、高電圧電源からの信号が供給される、請求項８に記載の放出補償方法。
【請求項１０】
回帰時間が、非活動掃引時間として利用される、請求項８に記載の放出補償方法。
【請求項１１】
ドライバ信号の電圧レベルを上下に変化させて、放出電流を増加または減少させるステップを更に含む、請求項８に記載の放出補償方法。
【請求項１２】
ドライバ信号の電圧レベルを上下に変化させて、照度を増加または減少させるステップを更に含む、請求項８に記載の放出補償方法。
【請求項１３】
画像を生成する多層フェースプレート構造体と、
前記多層フェースプレート構造体に電子を放出するバックプレート構造体とを備え、
前記バックプレート構造体が、前記電子を放出するエミッタを含み、前記エミッタが複数の行と列とに配列され、ピクセルの複数の行のうちの１つは、電圧が印加されるダミーの行であり、そして、結果として生じる放出電流が測定され、その放出が予め設定された値ではない場合には、前記電圧に調整が加えられる放出調整ディスプレイ装置。
【請求項１４】
予め設定された数の活動表示領域の回帰期間に一度、ピクセルの前記ダミーの行に電圧が供給される、請求項１３に記載の放出調整ディスプレイ装置。
【請求項１５】
測定情報が、後の調整または伝送のために格納される、請求項１３に記載の放出調整ディスプレイ装置。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
データ処理システムにおいて、ソフトウェア・コンポーネントを更新するための方法であって、
前記ソフトウェア・コンポーネントを更新するかどうかを判断するステップと、
前記ソフトウェア・コンポーネントを更新するという判断に応答して、該ソフトウェア・コンポーネントを更新して更新済みソフトウェア・コンポーネントを生成するステップと、
テストのデータベースからポリシーに基いてどのテストを行うかを選択するステップと、
前記更新済みソフトウェア・コンポーネントについて選択されたテストを自動的にテストするステップと、
前記更新済みコンポーネントの選択されたテストの失敗に応答して修正措置を行うステップとを有しており、
これらステップをコンピュータに実行させる方法。
【請求項２】
前記判断するステップが、
前記ソフトウェア・コンポーネントについて更新が存在するかどうかを判断し、
前記ソフトウェア・コンポーネントについて前記更新が存在することに応答して、該更新が該ソフトウェア・コンポーネントに適用されるべきかどうかを判断し、
前記更新を前記ソフトウェア・コンポーネントに適用する判断に応答して、該更新を該ソフトウェア・コンポーネントに適用し、前記更新済みソフトウェア・コンポーネントを形成する、
請求項１に記載の方法。
【請求項３】
前記修正措置が、前記更新済みソフトウェア・コンポーネントを、前記更新が行われる以前の状態にロールバックすることを含む、
請求項１に記載の方法。
【請求項４】
前記修正措置が、代替的な更新を特定すること、前記更新済みソフトウェア・コンポーネントを前記更新なしの前記ソフトウェア・コンポーネントにロールバックすること、異なるソフトウェア・コンポーネントをインストールすること、及び、前記代替的な更新をインストールすることのうちの少なくとも１つを含む、
請求項１に記載の方法。
【請求項５】
前記更新が設定ファイルについての新たなパラメータである、
請求項１に記載の方法。
【請求項６】
前記更新が前記ソフトウェア・コンポーネントについての実行可能ファイルに対するものである、
請求項１に記載の方法。
【請求項７】
更新、ロールバック、前記更新済みコンポーネントのテストから得られるテスト結果、ユーザの組の間における障害の発生、特定の種類のソフトウェア・コンポーネント間における障害の発生、及び、オペレーティング・システムの組の間における障害の発生、のうちの少なくとも１つに関するデータを格納することをさらに含む、
請求項１に記載の方法。
【請求項８】
前記自動的にテストするステップが、性能テスト、オンザフライのレグレッション・テスト、ユニット・テスト、及び互換性テストのうちの少なくとも１つを用いる、
請求項１に記載の方法。
【請求項９】
第１のパーティが更新ソフトウェアのソースであり、第２のパーティが、前記ソフトウェア・コンポーネントを更新するかどうかを判断するのに用いられるポリシーを提供する、
請求項１に記載の方法。
【請求項１０】
前記判断するステップが、
前記更新が利用可能かどうかを判断し、
前記更新が利用可能である場合には、特定の種類のソフトウェア・ソース、ユーザ、オペレーティング・システムの種類、及び、データ処理システムの種類のうちの少なくとも１つと相関関係のある失敗の発生パターンを用いて、該更新を適用するかどうかを判断することを含む、
請求項１に記載の方法。
【請求項１１】
前記ソフトウェア・コンポーネントが、更新に成功して前記更新済みソフトウェア・コンポーネントが生成されたかどうかを判断し、
前記ソフトウェア・コンポーネントの更新に成功しなかったことに応答して、失敗の通知を送信することをさらに含む、
請求項１に記載の方法。
【請求項１２】
前記ソフトウェア・コンポーネントが、更新に成功して前記更新済みソフトウェア・コンポーネントが生成されたかどうかを判断し、
前記ソフトウェア・コンポーネントの更新に成功しなかったことに応答して、該ソフトウェア・コンポーネントの更新を再試行することをさらに含む、
請求項１に記載の方法。
【請求項１３】
前記ソフトウェア・コンポーネントに対する少なくとも２回の更新の試行が失敗した後に通知が送信される、
請求項１２に記載の方法。
【請求項１４】
ソフトウェア・コンポーネントを更新するためのデータ処理システムであって、
バス・システムと、
前記バス・システムに接続された通信ユニットと、
前記バス・システムに接続され、命令のセットを含むメモリと、
前記バス・システムに接続された処理ユニットと、
を備え、
前記処理ユニットが、前記ソフトウェア・コンポーネントを更新するかどうかを判断し、該ソフトウェア・コンポーネントを更新するという判断に応答して、該ソフトウェア・コンポーネントを更新して更新済みソフトウェア・コンポーネントを生成し、テストのデータベースからポリシーに基いてどのテストを行うかを選択し、前記更新済みソフトウェア・コンポーネントについて選択されたテストを自動的にテストし、該更新済みコンポーネントのテストの失敗に応答して修正措置を行う、命令のセットを実行する
データ処理システム。
【請求項１５】
ソフトウェア・コンポーネントを更新するための、コンピュータに複数の命令を実行させるコンピュータ・プログラムであって、
前記ソフトウェア・コンポーネントを更新するかどうかを判断するための第１の命令と、
前記ソフトウェア・コンポーネントを更新するという判断に応答して、該ソフトウェア・コンポーネントを更新して更新済みソフトウェア・コンポーネントを生成するための第２の命令と、
テストのデータベースからポリシーに基いてどのテストを行うかを選択し、前記更新済みソフトウェア・コンポーネントについて選択されたテストを自動的にテストするための第３の命令と、
前記更新済みコンポーネントのテストの失敗に応答して修正措置を行うための第４の命令とを含む、
コンピュータ・プログラム。
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
ローカルの聞き手とリモートの聞き手にプレゼンテーションを示すシステムであって、
情報フレームを前記ローカルの聞き手に提示する表示装置と、
前記表示装置に結合され、前記ローカルの聞き手に提示された前記情報フレームの画像を取り込むフレーム取込み装置と、
前記フレーム取込み装置に結合され、前記情報フレームの画像をリモートの聞き手メンバに送る伝送装置と、
を備えているシステム。
【請求項２】
前記フレーム取込み装置および前記伝送装置に結合され、前記情報フレームの画像をグラフィックス・オブジェクトに変換するデータ変換器をさらに備えている、請求項１に記載のシステム。
【請求項３】
前記表示装置が、外部表面に向けて少なくとも１つの光ビームを投影するプロジェクタである、請求項１に記載のシステム。
【請求項４】
前記表示装置が、ビデオ・インターフェースを介して前記情報フレームを受け取る、請求項１に記載のシステム。
【請求項５】
前記伝送装置が、公衆インターネットにインターフェースされる、請求項１に記載のシステム。
【請求項６】
ローカルの聞き手とリモートの聞き手にプレゼンテーションを示す方法であって、
情報フレームを前記ローカルの聞き手に提示するステップと、
前記情報フレームの画像を取り込むステップと、
前記取込み画像をグラフィックス・オブジェクトに変換するステップと、
前記グラフィックス・オブジェクトを、前記リモートの聞き手の少なくとも１人のメンバに送るステップと、
を含む方法。
【請求項７】
前記提示するステップが、前記ローカルの聞き手が見る表示面上に前記情報フレームを投影するステップを含む、請求項６に記載の方法。
【請求項８】
前記取り込むステップが、前記情報フレームをランダムアクセスメモリに格納するメモリアレイを読み出すステップを含む、請求項６に記載の方法。
【請求項９】
前記送るステップが、ネットワーク・アドレスに置かれたサーバによって実行される、請求項６に記載の方法。
【請求項１０】
前記送るステップが、前記グラフィックス・オブジェクトをインターネット・サービス・プロバイダに送るパーソナル無線アクセサリを介して実行される、請求項９に記載の方法。
【手続補正書】
【提出日】平成18年2月20日(2006.2.20)
【手続補正１】
【補正対象書類名】特許請求の範囲
【補正対象項目名】請求項２０
【補正方法】変更
【補正の内容】
【請求項２０】
マルチメディアデータに関する１つ以上のパラメータセットを特定するパラメータセットメタデータと上記マルチメディアデータ内の複数のサンプルのグループを定義するサンプルグループメタデータとを含むマルチメディアデータに関連するファイルを受け取るステップと、
上記ファイルから上記パラメータセットメタデータと上記サンプルグループメタデータを抽出するステップとを有し、
上記抽出されたパラメータセットメタデータは、後に上記１以上のパラメータセットと上記マルチメディアデータの複数の部分との間の関係を判定するために用いられ、上記抽出されたサンプルグループメタデータは、後に将来の処理において除外できるサンプルを特定するために用いられることを特徴とするデータ処理方法。
【手続補正２】
【補正対象書類名】特許請求の範囲
【補正対象項目名】請求項６９
【補正方法】変更
【補正の内容】
【請求項６９】
マルチメディアデータに関する１つ以上のパラメータセットを特定するパラメータセットメタデータを含むマルチメディアデータに関連するファイルを受け取り、該ファイルから上記パラメータセットメタデータを抽出するメタデータ抽出器と、
上記抽出したパラメータセットメタデータを用いて、１以上のパラメータセットと上記マルチメディアデータの複数の部分との間の関係を判定するメディアデータストリームプロセッサとを備えるデータ処理装置。
【手続補正３】
【補正対象書類名】特許請求の範囲
【補正対象項目名】請求項８１
【補正方法】変更
【補正の内容】
【請求項８１】
マルチメディアデータに関する１つ以上のパラメータセットを特定するパラメータセットメタデータと上記マルチメディアデータ内の複数のサンプルのグループを定義するサンプルグループメタデータとを含むマルチメディアデータに関連するファイルを受け取るファイル受信手段と、
上記ファイルから上記パラメータセットメタデータと上記サンプルグループメタデータを抽出するサンプルグループメタデータ作成手段とを備え、
上記抽出されたパラメータセットメタデータは、後に上記１以上のパラメータセットと上記マルチメディアデータの複数の部分との間の関係を判定するために用いられ、上記抽出されたサンプルグループメタデータは、後に将来の処理において除外できるサンプルを特定するために用いられることを特徴とするデータ処理装置。
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
疼痛を治療、予防、改善または管理するための医薬組成物であって、免疫調節化合物またはその製薬上許容される塩、溶媒和物もしくは立体異性体を含んでなる、上記医薬組成物。
【請求項２】
少なくとも1種の第2の活性薬剤をさらに含む、請求項1に記載の医薬組成物。
【請求項３】
第2の活性薬剤が疼痛を緩和または軽減することができるものである、請求項2に記載の医薬組成物。
【請求項４】
第2の活性薬剤が、抗うつ薬、抗高血圧薬、抗不安薬、カルシウムチャンネル阻害薬、αアドレナリン受容体アゴニスト、αアドレナリン受容体アンタゴニスト、ケタミン、麻酔薬、筋弛緩薬、非麻薬性鎮痛薬、麻薬性鎮痛薬、抗炎症薬、免疫機能改善薬、免疫抑制剤、コルチコステロイド、鎮痙薬、cox-2阻害剤、高圧酸素、またはこれらの組合せである、請求項2に記載の医薬組成物。
【請求項５】
第2の活性薬剤が、サリチル酸アセテート、セレコキシブ、ケタミン、ガバペンチン、カルバマゼピン、オキシカルバゼピン、フェニトイン、バルプロ酸ナトリウム、プレドニゾン、ニフェジピン、クロニジン、オキシコドン、メペリジン、硫酸モルヒネ、ヒドロモルホン、フェンタニル、アセトアミノフェン、イブプロフェン、ナプロキセンナトリウム、グリセオフルビン、アミトリプチリン、イミプラミン、またはドキセピンである、請求項2に記載の医薬組成物。
【請求項６】
疼痛が侵害受容性疼痛または神経因性疼痛である、請求項1に記載の医薬組成物。
【請求項７】
疼痛が、化学的熱傷もしくは熱傷、皮膚の切り傷、皮膚の挫傷、変形性関節症、慢性関節リウマチ、腱炎、または筋筋膜疼痛と関連している、請求項6に記載の医薬組成物。
【請求項８】
疼痛が、糖尿病性ニューロパシー、帯状疱疹後神経痛、三叉神経痛、卒中後疼痛、複合性局所疼痛症候群、交感神経依存性疼痛症候群、反射性交感神経性ジストロフィー、反射性神経血管性ジストロフィー、反射性ジストロフィー、脊髄損傷痛、骨のズーデック萎縮、疼痛性ニューロジストロフィー、肩手症候群、外傷後ジストロフィー、癌関連疼痛、幻肢痛、線維筋痛症、慢性疲労症候群、神経根障害、梅毒性神経障害、または薬物により誘発される有痛性神経障害症状である、請求項6に記載の医薬組成物。
【請求項９】
複合性局所疼痛症候群がI型またはII型である、請求項8に記載の医薬組成物。
【請求項１０】
有痛性神経障害症状がビンクリスチン、ベルケードまたはサリドマイドにより医原的に誘発される、請求項8に記載の医薬組成物。
【請求項１１】
疼痛が、内臓痛、偏頭痛、緊張型頭痛、術後痛、または侵害受容性疼痛と神経因性疼痛の混合疼痛である、請求項1に記載の医薬組成物。
【請求項１２】
免疫調節化合物の立体異性体がエナンチオマー的に純粋である、請求項1に記載の医薬組成物。
【請求項１３】
免疫調節化合物が4-(アミノ)-2-(2,6-ジオキソ(3-ピペリジル))-イソインドリン-1,3-ジオンである、請求項1に記載の医薬組成物。
【請求項１４】
免疫調節化合物がエナンチオマー的に純粋である、請求項13に記載の医薬組成物。
【請求項１５】
免疫調節化合物が3-(4-アミノ-1-オキソ-1,3-ジヒドロ-イソインドール-2-イル)-ピペリジン-2,6-ジオンである、請求項1に記載の医薬組成物。
【請求項１６】
免疫調節化合物がエナンチオマー的に純粋である、請求項15に記載の医薬組成物。
【請求項１７】
免疫調節化合物が式(I)：
【化１】
2006507284.tif 000001
[式中、XおよびYの一方はC=Oであり、XおよびYの他方はC=OまたはCH2であり、R2は水素または低級アルキルである]で表される、請求項1に記載の医薬組成物。
【請求項１８】
免疫調節化合物がエナンチオマー的に純粋である、請求項17に記載の医薬組成物。
【請求項１９】
免疫調節化合物が式(II)：
【化２】
2006507284.tif 000002
[式中、
XおよびYの一方はC=Oであり、他方はCH2またはC=Oであり、
R1は、H、(C1-C8)アルキル、(C3-C7)シクロアルキル、(C2-C8)アルケニル、(C2-C8)アルキニル、ベンジル、アリール、(C0-C4)アルキル-(C1-C6)ヘテロシクロアルキル、(C0-C4)アルキル-(C2-C5)ヘテロアリール、C(O)R3、C(S)R3、C(O)OR4、(C1-C8)アルキル-N(R6)2、(C1-C8)アルキル-OR5、(C1-C8)アルキル-C(O)OR5、C(O)NHR3、C(S)NHR3、C(O)NR3R3'、C(S)NR3R3'または(C1-C8)アルキル-O(CO)R5であり、
R2は、H、F、ベンジル、(C1-C8)アルキル、(C2-C8)アルケニル、または(C2-C8)アルキニルであり、
R3およびR3'は、独立して、(Cl-C8)アルキル、(C3-C7)シクロアルキル、(C2-C8)アルケニル、(C2-C8)アルキニル、ベンジル、アリール、(C0-C4)アルキル-(C1-C6)ヘテロシクロアルキル、(C0-C4)アルキル-(C2-C5)ヘテロアリール、(C0-C8)アルキル-N(R6)2、(C1-C8)アルキル-OR5、(C1-C8)アルキル-C(O)OR5、(C1-C8)アルキル-O(CO)R5またはC(O)OR5であり、
R4は、(C1-C8)アルキル、(C2-C8)アルケニル、(C2-C8)アルキニル、(C1-C4)アルキル-OR5、ベンジル、アリール、(C0-C4)アルキル-(C1-C6)ヘテロシクロアルキル、または(C0-C4)アルキル-(C2-C5)ヘテロアリールであり、
R5は、(Cl-C8)アルキル、(C2-C8)アルケニル、(C2-C8)アルキニル、ベンジル、アリール、または(C2-C5)ヘテロアリールであり、
R6は、それぞれの場合に独立して、H、(Cl-C8)アルキル、(C2-C8)アルケニル、(C2-C8)アルキニル、ベンジル、アリール、(C2-C5)ヘテロアリール、または(C0-C8)アルキル-C(O)OR5であるか、複数のR6は一緒になってヘテロシクロアルキル基を形成し、
nは、0または1であり、
*は、キラル炭素中心を表す］で表される、請求項1に記載の医薬組成物。
【請求項２０】
免疫調節化合物がエナンチオマー的に純粋である、請求項19に記載の医薬組成物。
【請求項２１】
免疫調節化合物が置換スチレンのシアノもしくはカルボキシ誘導体、1-オキソ-2-(2,6-ジオキソ-3-フルオロピペリジン-3-イル)イソインドリン、1,3-ジオキソ-2-(2,6-ジオキソ-3-フルオロピペリジン-3-イル)イソインドリン、またはテトラ置換2-(2,6-ジオキソピペリジン-3-イル)-l-オキソイソインドリンである、請求項1に記載の医薬組成物。
【請求項２２】
免疫調節化合物がエナンチオマー的に純粋である、請求項21に記載の医薬組成物。
【請求項２３】
患者の疼痛の症状を軽減または回避するための外科手術、心理または理学療法の前、間、あるいは後に、疼痛を治療し、予防し、改善しまたは管理するための医薬品の製造における免疫調節化合物またはその製薬上許容される塩、溶媒和物もしくは立体異性体の使用。
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
式（I）のクロロメチルセフェム誘導体の改良された製造方法であって、
【化１】
2006507289.tif 000001
（ここで、Ｒ１は、カルボキシ保護基、すなわち、簡単に脱保護できる置換メチル基、例えば、ｔ−ブチル基、ジフェニルメチル基、４−メトキシベンジル基、２−メトキシベンジル基、２−クロロベンジル、またはベンジル基を表す。Ｒ２は、水素、炭素１〜４のアルキル基、置換もしくは無置換のフェニル基、または置換もしくは無置換のフェノキシ基を表す。）
前記方法は、
（i）  式（V）の化合物を式（VI）の化合物へ転化する段階と、
【化２】
2006507289.tif 000002
【化３】
2006507289.tif 000003
（ここで、Ｒ８は、置換もしくは無置換の炭素数１〜６のアルキル基またはアリール基を表す。なお、２５℃〜４０℃の範囲の温度で、アリールスルフィン酸または炭素数１〜６のアルキル基が付加されたスルフィン酸の金属塩、塩基および溶媒が用いられる。また、４.０〜８.０の範囲のｐＨでアリールスルフィン酸の金属塩を加えることで改良がなされる。）
（ii）  式（VI）の化合物を、塩素化剤を用いて、塩基および溶媒存在下で、１５℃〜４０℃の範囲の温度で塩素化して、式（VII）の化合物を製造する段階と、
【化４】
2006507289.tif 000004
（ここで、Ｒ８は、置換もしくは無置換の炭素数１〜６のアルキル基またはアリール基を表し、他の符号は全て上記と同様である。）
（iii）  式（VII）の化合物を、塩基を用いて、溶媒中で、−６０℃〜＋５０℃の範囲の温度で環化することで、式（I）のクロロメチルセフェム誘導体を製造する段階と、
を有する。
【請求項２】
段階（i）で用いられるアリールスルフィン酸の金属塩は、ｐ−トルエンスルフィン酸銅（II）、ベンゼンスルフィン酸銅（II）、トルエンスルフィン酸ナトリウム、ｐ−トルエンスルフィン酸銀（II）、ベンゼンスルフィン酸銀（II）から選ばれる、請求項１記載の方法。
【請求項３】
段階（i）で用いられる溶媒は、水の存在下または非存在下で、アセトン、ＴＨＦ、ジオキサン、アセトニトリル、ならびにメタノール、エタノール、およびイソプロパノールのようなアルコール類から選ばれる、請求項１記載の方法。
【請求項４】
段階（i）における、アリールスルフィン酸または炭素数１〜６のアルキル基が付加されたスルフィン酸の金属塩の添加は、好ましくは、ｐＨ５〜７の範囲で行われる、請求項１記載の方法。
【請求項５】
段階（i）で用いられる塩基は、アンモニア、炭酸カルシウム、炭酸水素ナトリウム、炭酸ナトリウム、炭酸カリウム、炭酸水素カリウム、ジイソプロピルエチルアミン、トリエチルアミンから選ばれる、請求項１記載の方法。
【請求項６】
段階（ii）で用いられる塩素化剤は、溶媒の存在下または非存在下で、塩素ガス、ＨＯＣｌ、Ｃｌ２Ｏ、ＣＨ３ＯＣｌから選ばれる、請求項１記載の方法。
【請求項７】
塩素化剤は、ジオキサン、四塩化炭素、酢酸エチル、アセトニトリル、ジグリム、ジメチルホルムアミド、ジメチルアセトアミド、テトラヒドロフラン、塩化メチレン、酢酸ブチル、ジフェニルエーテル、トルエン、またはこれらの混合物から選ばれる、請求項６記載の方法。
【請求項８】
段階（ii）で用いられる溶媒は、ジオキサン、四塩化炭素、酢酸エチル、アセトニトリル、ジグリム、ジメチルホルムアミド、ジメチルアセトアミド、テトラヒドロフラン、塩化メチレン、酢酸ブチル、ジフェニルエーテル、トルエン、またはこれらの混合物から選ばれる、請求項１記載の方法。
【請求項９】
段階（iii）での環化は、アンモニア、ならびに炭酸アンモニウム、酢酸アンモニウムのようなアンモニウム塩、ならびにＮ，Ｎ−ジイソプロピルアミン、Ｎ，Ｎ−ジエチルアミン、メチルアミン、トリエチルアミンのような有機アミンから選ばれる塩基を用いて行われる、請求項１記載の方法。
【請求項１０】
段階（iii）で用いられる溶媒は、１−メチルピロリドン−２−オン（ＮＭＰ）、ＤＭＦ、アセトニトリル、Ｎ，Ｎ−ジメチルアセトアミド、ジメチルアセトアミド、酢酸エチル、ジオキサン、ＴＨＦ、二塩化メチレンから選ばれる、請求項１記載の方法。
【請求項１１】
請求項１記載の製造方法で得られる式（I）の化合物を中間体として用いる、式（II）の化合物の製造方法。
【化５】
2006507289.tif 000005
（ここで、Ｒ４は、カルボン酸イオンまたはＣＯＯＲｄを表す。なお、Ｒｄは、水素原子、エステル、または塩形成可能な対イオンを表す。Ｒ６は、Ｈ、ＣＨ３、ＣＲａＲｂＣＯＯＲｃを表す。なお、Ｒａ及びＲｂは、それぞれ独立に水素原子又はメチル基を示し、Ｒｃは、水素原子または炭素数１〜６のアルキル基を示し、Ｒ５は、ＣＨ３、ＣＨ２ＯＣＨ３、ＣＨ２ＯＣＯＣＨ３、ＣＨ＝ＣＨ２、または、
【化６】
2006507289.tif 000006
を表す。）
【手続補正２】
【補正対象書類名】明細書
【補正対象項目名】０００２
【補正方法】変更
【補正の内容】
【０００２】
本発明の方法で調整された（I）のクロロメチルセフェム誘導体は、式（II）のセファロスポリン系抗生物質の調整に有用であり、当該クロロメチルセフェム誘導体を中間体として、式（II）のセファロスポリン系抗生物質を製造することができる。
【化２】
2006507289.tif 000007
ここで、Ｒ４は、カルボン酸イオンまたはＣＯＯＲｄを表す。なお、Ｒｄは、水素原子、エステル、または塩形成可能な対イオンを表す。Ｒ６は、Ｈ、ＣＨ３、ＣＲａＲｂＣＯＯＲｃを表す。なお、ＲａおよびＲｂは、それぞれ独立に水素原子またはメチル基を示し、Ｒｃは、水素原子または炭素数１〜６のアルキル基を示し、Ｒ５は、ＣＨ３、ＣＨ２ＯＣＨ３、ＣＨ２ＯＣＯＣＨ３、ＣＨ＝ＣＨ２、または、
【化３】
2006507289.tif 000008
を表す。
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
ビタミンＢ１、ビタミンＢ２、ビタミンＢ３、ビタミンＢ６、ビタミンＢ１２、ビタミンＣ、カフェイン、ケルセチン、エピガロカテキン没食子酸塩、エピカテキン、エピカテキン没食子酸塩、エピガロカテキン、およびポリフェロンＥを含む組成物。
【請求項２】
さらにビタミンＥを含む、請求項１に記載の組成物。
【請求項３】
さらにＣｏＱ−１０、大豆イソフラボン、タウリン、甜菜ペクチン繊維、またはイチョウ葉エキスを含む、請求項１または２に記載の組成物。
【請求項４】
組成物が乾燥状態である、請求項１〜３のいずれか１項に記載の組成物。
【請求項５】
組成物が茶、ソフトドリンク、ジュース、牛乳、コーヒー、クッキー、シリアル、チョコレート、あるいはスナックバーである、請求項１〜３のいずれか１項に記載の組成物。
【請求項６】
ビタミンＢ１、ビタミンＢ３、ビタミンＢ６、ビタミンＢ１２、ビタミンＣ、カフェイン、ケルセチン、並びにエピガロカテキン没食子酸塩、エピカテキン、エピカテキン没食子酸塩、エピガロカテキン、およびポリフェロンＥを含む緑茶抽出物を含む組成物。
【請求項７】
さらにビタミンＥを含む、請求項６に記載の組成物。
【請求項８】
さらにＣｏＱ−１０、大豆イソフラボン、タウリン、甜菜ペクチン繊維、またはイチョウ葉エキスを含む、請求項６または７に記載の組成物。
【請求項９】
組成物が乾燥状態である、請求項６〜８のいずれか１項に記載の組成物。
【請求項１０】
組成物が茶、ソフトドリンク、ジュース、牛乳、コーヒー、クッキー、シリアル、チョコレート、またはスナックバーである、請求項６〜８のいずれか１項に記載の組成物。
【請求項１１】
ビタミンＢ３およびケルセチンを含む組成物。
【請求項１２】
ビタミンＣおよびケルセチンを含む組成物。
【請求項１３】
さらにビタミンＢ３を含む、請求項１２に記載の組成物。
【請求項１４】
クローン病、関節炎、白血病、性的不全、もしくは慢性の便秘を治療し；集中力もしくは心的状態を改善し；またはコレステロール値もしくは血圧を低下させることを目的として使用される請求項１〜１３のいずれか１項に記載の組成物。
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
Ｔ細胞またはＴ細胞集団においてインターフェロンγ（ＩＦＮγ）レベルを阻害するための薬学的組成物であって、該薬学的組成物は、以下：
該Ｔ細胞または細胞集団中においてＩＦＮγを阻害するのに十分な量のＩＬ−２１アゴニストを含有し、ここで、該アゴニストは、配列番号２と少なくとも８５％であるアミノ酸を含むＩＬ−２１ポリペプチドであり、そして該アゴニストは、ＩＬ−２１Ｒに結合し得る、
組成物。
【請求項２】
Ｔｈ前駆（Ｔｈｐ）細胞または細胞集団の、Ｔｈ２細胞または細胞集団への分化を促進するための薬学的組成物であって、該薬学的組成物は、以下：
該Ｔｈｐ細胞または細胞集団のＴｈ２細胞または細胞集団への分化を誘導するのに十分な量のＩＬ−２１アゴニストを含有し、ここで、該アゴニストは、配列番号２と少なくとも８５％であるアミノ酸を含むＩＬ−２１ポリペプチドであり、そして該アゴニストは、ＩＬ−２１Ｒに結合し得る、
薬学的組成物。
【請求項３】
Ｔｈｐ細胞または細胞集団の、Ｔｈ１細胞または細胞集団への分化を阻害するための薬学的組成物であって、該薬学的組成物は、以下：
該Ｔｈｐ細胞または細胞集団のＴｈ１細胞または細胞集団への分化を阻害するのに十分な量のＩＬ−２１アゴニストを含有し、ここで、該アゴニストは、配列番号２と少なくとも８５％であるアミノ酸を含むＩＬ−２１ポリペプチドであり、そして該アゴニストは、ＩＬ−２１Ｒに結合し得る、
薬学的組成物。
【請求項４】
請求項１、２、または３のいずれか１項に記載の薬学的組成物であって、ここで、前記ポリペプチドは、配列番号２のアミノ酸配列を含む、薬学的組成物。
【請求項５】
請求項１、２、または３のいずれか１項に記載の薬学的組成物であって、ここで、該薬学的組成物が、エキソビボ、インビトロ、またはインビボでの投与に適している、薬学的組成物。
【請求項６】
請求項１、２、または３のいずれか１項に記載の薬学的組成物であって、ここで、前記接触工程が、哺乳動物被験体において行われる、薬学的組成物。
【請求項７】
請求項６に記載の薬学的組成物であって、ここで、前記哺乳動物被験体がヒトである、薬学的組成物。
【請求項８】
Ｔｈ前駆（Ｔｈｐ）細胞または細胞集団の、Ｔｈ２細胞または細胞集団への分化を阻害するための薬学的組成物であって、該薬学的組成物は、以下：
該Ｔｈｐ細胞または細胞集団のＴｈ２細胞集団への分化を阻害するのに十分な量のインターロイキン−２１（ＩＬ−２１）／ＩＬ−２１レセプター（ＩＬ−２１Ｒ）のアンタゴニストを含有し、ここで、該アンタゴニストは、抗−ＩＬ２１Ｒ抗体、抗−ＩＬ２１Ｒ抗体の抗原結合フラグメント、およびＩＬ−２１Ｒの可溶性フラグメントからなる群から選択される、
薬学的組成物。
【請求項９】
Ｔ細胞または細胞集団においてインターフェロンγ（ＩＦＮγ）レベルを増加するための薬学的組成物であって、以下：
該Ｔ細胞または細胞集団のＩＦＮγレベルを増加するのに十分な量のＩＬ−２１／ＩＬ−２１Ｒアンタゴニストを含有し、ここで、該アンタゴニストは、抗−ＩＬ２１Ｒ抗体、抗−ＩＬ２１Ｒ抗体の抗原結合フラグメント、およびＩＬ−２１Ｒの可溶性フラグメントからなる群から選択される、
薬学的組成物。
【請求項１０】
請求項８または９に記載の薬学的組成物であって、ここで、前記ＩＬ−２１Ｒの可溶性フラグメントが、ＩＬ−２１レセプターの細胞外領域を含む、薬学的組成物。
【請求項１１】
請求項１０に記載の薬学的組成物であって、前記可溶性フラグメントが、配列番号４のアミノ酸２０〜２３５と少なくとも８５％同一であるアミノ酸配列を含み、そして、ＩＬ−２１に結合し得る、薬学的組成物。
【請求項１２】
請求項１０に記載の薬学的組成物であって、ここで、前記可溶性フラグメントが、配列番号４のアミノ酸１〜２３５を含む、薬学的組成物。
【請求項１３】
請求項１０に記載の薬学的組成物であって、ここで、前記可溶性フラグメントが、さらにＦｃフラグメントを含む、薬学的組成物。
【請求項１４】
請求項８または９に記載の薬学的組成物であって、ここで、前記アンタゴニストが、抗−ＩＬ２１Ｒ抗体またはその抗原結合フラグメントである、薬学的組成物。
【請求項１５】
請求項８または９に記載の薬学的組成物であって、ここで、該薬学的組成物が、エキソビボ、インビトロ、またはインビボでの投与に適している、薬学的組成物。
【請求項１６】
請求項８または９に記載の薬学的組成物であって、ここで、該薬学的組成物が、哺乳動物被験体への投与に適している、薬学的組成物。
【請求項１７】
請求項１６に記載の薬学的組成物であって、ここで、前記哺乳動物被験体がヒトである、薬学的組成物。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
電離放射線、化学療法、または放射線および化学療法の組み合わせによる傷害を処置および予防するための医薬を製造するための、粒状の生物学的利用能を有するβ(1,3；1,6)グルカンの使用。
【請求項２】
β(1,3；1,6)グルカンが完全グルカン粒子、微粒子状β-グルカン粒子、または完全グルカン粒子および微粒子状β-グルカン粒子の組み合わせを含む、請求項１記載の使用。
【請求項３】
完全グルカン粒子が1ミクロン以上の直径を有する、請求項２記載の使用。
【請求項４】
微粒子状β-グルカン粒子が1ミクロン以下の直径を有する、請求項２記載の使用。
【請求項５】
完全グルカン粒子、微粒子状β-グルカン粒子、または完全グルカン粒子および微粒子状β-グルカン粒子の組み合わせが経口投与される、請求項２記載の使用。
【請求項６】
約0〜100mg/体重kgの治療有効用量が毎日投与される、請求項５記載の使用。
【請求項７】
骨髄抑制を処置および予防するための医薬を製造するための、粒状の生物学的利用能を有するβ(1,3；1,6)グルカンの使用。
【請求項８】
骨髄抑制が電離放射線により生ずる、請求項７記載の使用。
【請求項９】
骨髄抑制が化学療法により生ずる、請求項７記載の使用。
【請求項１０】
β(1,3；1,6)グルカンが完全グルカン粒子、微粒子状β-グルカン粒子、または完全グルカン粒子および微粒子状β-グルカン粒子の組み合わせを含む、請求項７記載の使用。
【請求項１１】
完全グルカン粒子が1ミクロン以上の直径を有する、請求項１０記載の使用。
【請求項１２】
微粒子状β-グルカン粒子が1ミクロン以下の直径を有する、請求項１０記載の使用。
【請求項１３】
完全グルカン粒子、微粒子状β-グルカン粒子、または完全グルカン粒子および微粒子状β-グルカン粒子の組み合わせが経口投与される、請求項１０記載の使用。
【請求項１４】
約0〜100mg/体重kgの治療有効用量が毎日投与される、請求項１２記載の使用。
【請求項１５】
放射線または化学療法により引き起こされたマクロファージ活性の減少を処置または予防するための医薬を製造するための、粒状の生物学的利用能を有するβ(1,3；1,6)グルカンの使用。
【請求項１６】
照射後の骨髄抑制の処置における経口使用のための医薬を製造するための粒状の生物学的利用能を有するβ(1,3；1,6)グルカンの使用であって、ここで、経口投与されるグルカンが補体系を活性化することにより造血幹前駆細胞を高める、使用。
【請求項１７】
放射線への曝露後のグルカン媒介造血前駆幹細胞回復を補体系を介して高めるための医薬を製造するための完全グルカン粒子の使用であって、ここで、グルカンが補体系を活性化し、造血前駆幹細胞の再生を高める、使用。
【請求項１８】
経口投与されるグルカンがマクロファージにより吸収され、骨髄に移動され、分解され、放出された断片が分化および増殖するために幹細胞を活性化する幹細胞のCR3の準備をする、請求項１７記載の使用。
【請求項１９】
補体系を介するβ(1,3；1,6)グルカンが、損傷幹細胞に沈積したiC3bに結合し、CR3を活性化することにより幹細胞増殖および分化を促進する、請求項１８記載の使用。
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
皮膚、頭皮および粘膜の真皮／表皮接合部を改善および／または保護するための美容処置方法であって、プレクチン／ＨＤ１および／またはエンタクチン／ナイドジェンおよび／またはパールカンの調節に作用する少なくとも１種の物質を含有する製剤を局所適用することを含んで成る方法。
【請求項２】
プレクチン／ＨＤ１および／またはエンタクチン／ナイドジェンおよび／またはパールカンの調節に作用する物質の、皮膚、頭皮および粘膜の真皮／表皮接合部を改善および／または保護する化粧用製剤の製造のための使用。
【請求項３】
プレクチン／ＨＤ１および／またはエンタクチン／ナイドジェンおよび／またはパールカンの調節に作用する物質の、皮膚を老化から保護する化粧用製剤の製造のための使用。
【請求項４】
プレクチン／ＨＤ１および／またはエンタクチン／ナイドジェンおよび／またはパールカンの調節に作用する物質の、皮膚、頭皮および粘膜を有害な環境的影響から保護する化粧用製剤の製造のための使用。
【請求項５】
プレクチン／ＨＤ１および／またはエンタクチン／ナイドジェンおよび／またはパールカンの調節に作用する物質の、皮膚、頭皮および粘膜をＵＶ線から保護する化粧用製剤の製造のための使用。
【請求項６】
プレクチン／ＨＤ１および／またはエンタクチン／ナイドジェンおよび／またはパールカンの調節に作用する物質の、酸化的ストレスに抗する化粧用製剤の製造のための使用。
【請求項７】
プレクチン／ＨＤ１および／またはエンタクチン／ナイドジェンおよび／またはパールカンの調節に作用する物質の、脱毛に抗し、毛髪の性質を改善する化粧用製剤の製造のための使用。
【請求項８】
前記物質が、プレクチン／ＨＤ１および／またはエンタクチン／ナイドジェンおよび／またはパールカンの調節に作用する植物抽出物である請求項２〜７のいずれかに記載の使用。
【請求項９】
抽出物が、植物のPisum sativum、Ruscus aculeatus、Centella asiatica、Calendula officinalis、Aesculus hippocastanumおよび／またはHibiscus esculentusから得られる請求項８に記載の使用。
【請求項１０】
前記物質が、マンニトール、シクロデキストリン、酵母エキス、パンテノール、プロピレングリコール、グリチルリチン酸アンモニウムおよびコハク酸二ナトリウム、低分子量ポリペプチドから成る群から選択される請求項２〜７のいずれかに記載の使用。
【請求項１１】
プレクチン／ＨＤ１および／またはエンタクチン／ナイドジェンおよび／またはパールカンの調節に作用する少なくとも１種の物質、ＵＶ保護剤および／または抗酸化剤を含有する化粧用製剤。
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
その治療を必要とする対象における本態性振戦の治療のための医薬組成物の製造のために、ゾニサミド又はその製薬上許容し得るその塩の有効量の使用。
【請求項２】
前記本態性振戦は、重度の本態性振戦である、請求項１に記載の使用。
【請求項３】
前記本態性振戦は、静止時の本態性振戦である、請求項１に記載の使用。
【請求項４】
前記動作時振戦は、本態性振戦である、請求項３に記載の使用。
【請求項５】
その治療を必要とする対象における動作時振戦の治療のための医薬組成物の製造のために、ゾニサミド又はその製薬上許容し得るその塩の有効量の使用。
【請求項６】
前記動作時振戦は、体位性振戦、小脳性振戦、薬物誘発振戦若しくは中毒振戦、原発起立振戦、失調性振戦、又は神経障害性振戦である、請求項５に記載の使用。
【請求項７】
前記有効量は、約０．５ｍｇ／ｋｇ／日〜１０ｍｇ／ｋｇ／日の範囲である、請求項１、４又は６のうち何れか一項に記載の使用
【請求項８】
前記医薬組成物は、前記対象に、経口的に若しくは非経口的に投与される、請求項１、４又は６のうち何れか一項に記載の使用。
【請求項９】
前記医薬組成物は、ゾニサミドナトリウムを含む滅菌溶液である、請求項１、４又は６のうち何れか一項に記載の使用。
【請求項１０】
前記医薬組成物は、静脈内投与、皮下投与、又は筋肉内投与される、請求項１、４又は６のうち何れか一項に記載の使用。
【請求項１１】
前記医薬組成物は、プロプラノロール、チモロール、アルプラゾラム、クロナゼパム、ジアゼパム、ロラゼパム、トラザドン、ミルタザピン、クロニジン、ボツリヌス毒素注射液、ガバペンチン、プリミドン、フェノバルビタール又はＭＫ−８０１と組み合わせて投与される、請求項１、４又は６のうち何れか一項に記載の使用。